(57)【要約】【課題】羽根ガードの背面部だけでなく、モータ部のケーシングの通気孔などから羽根ガードに吸い込まれる花粉、微細なごみやほこりを捕集でき、室内空気を清浄度化可能な扇風機用フィルタおよびその支持体を提供する。【解決手段】羽根ガードの背面部とモータ部の全域を不織布で被覆し、この状態を掛止体により保持するので、羽根ガードの背面部だけでなく、モータ部の通気孔などから羽根ガードに吸い込まれる花粉、微細なごみやほこりを捕集できる。よって、微細なごみなどを原因とした扇風機の回転羽根および羽根ガードの汚れを防止できる。しかも、扇風機を室内集塵器としても利用することが可能となる。【選択図】図１
2012202272.tif 000002
【特許請求の範囲】
【請求項１】
扇風機の回転羽根を被う羽根ガードの背面部の全域、および、該背面部より前記扇風機の後ろ側に配置され、かつ吸気孔付きのケーシングを有して前記回転羽根を回転させるモータ部の全域を被覆する不織布と、
該不織布に設けられ、前記羽根ガードの背面部の全域および前記モータ部の全域を被覆した状態で前記不織布を前記扇風機に掛止する掛止体とを備えた扇風機用フィルタ。
【請求項２】
前記不織布は矩形状のもので、
前記掛止体は、それぞれの両端部を除く部分が、前記不織布の一対の長辺部に、それらの全長にわたって固着される１対の弾性バンドを有した請求項１に記載の扇風機用フィルタ。
【請求項３】
前記不織布は、表面に粘着剤が塗布されたものである請求項１または請求項２に記載の扇風機用フィルタ。
【請求項４】
扇風機の回転羽根を回転させるモータ部に着脱自在に固定され、かつ前記モータ部の全域、および、前記モータ部に設けられて前記回転羽根を被う羽根ガードの背面部の全域を被覆するように前記扇風機に掛止された扇風機用フィルタの不織布を、前記モータ部と非接触状態で保持する扇風機用フィルタの支持体。
【発明の詳細な説明】
【技術分野】
【０００１】
この発明は扇風機用フィルタおよびその支持体、詳しくは扇風機の背面から吸い込まれる空気中の花粉、微細なごみやほこりなどを捕集する扇風機用フィルタおよびその支持体に関する。
【背景技術】
【０００２】
近年、例えば特許文献１のように、扇風機の回転羽根を外方から被う羽根ガードの背面部のみを被覆することで、扇風機の使用中、室内に浮遊している花粉、微細なごみやほこりを捕集し、前記回転羽根および羽根ガードの汚れを防止する扇風機用フィルタが開発されている。
【特許文献１】特開２００８−６３９４８号公報
【発明の概要】
【発明が解決しようとする課題】
【０００３】
しかしながら、特許文献１の扇風機用フィルタでは、不織布により被覆される扇風機の部分が回転羽根を被う羽根ガードの背面部のみであった。そのため、背面部より後方に配置されるモータ部のケーシングに形成された吸気孔などの各種の開口を塞ぐことができず、換気孔からケーシング内に吸い込まれた花粉などを含む室内の空気が、ケーシングの先端壁に形成されたモータシャフトの挿通孔を通過して、羽根ガード内へ吹き出されていた。これにより、換気扇用フィルタによるフィルタリングの効果が不十分であった。
【０００４】
そこで、発明者は鋭意研究の結果、扇風機の羽根ガードの背面部だけでなく、回転羽根を回転させるモータ部を不織布により被覆するようにすれば、上述した問題は全て解消されることを知見し、この発明を完成させた。
この発明は、羽根ガードの背面部からだけでなく、モータ部のケーシングの通気孔などの開口から羽根ガード内に吸い込まれる空気中の花粉、微細なごみやほこりを捕集することができ、これにより室内空気の清浄度を高めることができる扇風機用フィルタおよびその支持体を提供することを目的としている。
【課題を解決するための手段】
【０００５】
請求項１に記載の発明は、扇風機の回転羽根を被う羽根ガードの背面部の全域、および、該背面部より前記扇風機の後ろ側に配置され、かつ吸気孔付きのケーシングを有して前記回転羽根を回転させるモータ部の全域を被覆する不織布と、該不織布に設けられ、前記羽根ガードの背面部の全域および前記モータ部の全域を被覆した状態で前記不織布を前記扇風機に掛止する掛止体とを備えた扇風機用フィルタである。
【０００６】
扇風機用フィルタが使用される扇風機の設置タイプは任意である。例えば、床載置型のもの、天井吊り下げ型のもの、部屋の側壁固定型のものなどでもよい。
扇風機の羽根ガードの形状、直径などは任意である。
また、モータ部のケーシングの形状、大きさなどの他、ケーシングの吸気孔の形状、大きさ、形成位置なども任意である。
不織布の種類は任意である。空気中の粉塵のほか、花粉などを効率良く捕集可能な目付を有する不織布が好ましい。
さらに、不織布は、例えば綿、麻、絹などの天然繊維からなるものでもよいし、プロピレン系樹脂繊維、ポリエステル系樹脂繊維、ポリエチレン系樹脂繊維などの各種の合成樹脂繊維からなるものでもよい。また、通気性を確保して不織布を合成樹脂により固めたものでもよい。その他、アルミニウム、鉄などの金属製繊維の不織布でもよいし、ガラス繊維からなる不織布でもよい。
【０００７】
不織布の大きさは任意である。要は、羽根ガードの背面部の全域とモータ部の全域とを外方から同時に被覆可能であればよい。なお、一般的な家庭用の扇風機のサイズは、羽根ガードの直径の平均が３０〜４０ｃｍ、モータ部の直径の平均が８〜１２ｃｍである。
不織布は平坦なものでも、立体裁断されたものでもよい。また、不織布には、例えばプリント法によって、任意の模様、任意の図形、任意の絵などを印刷してもよい。
【０００８】
不織布によって覆われる羽根ガードの箇所は背面部の全域だけでなく、羽根ガードの背面部の全域と前面部（全域または一部）との両方でもよい。また、フィルタ使用時、モータ部を被覆する不織布の部分は、モータ部のケーシングに接触してもよいが、例えば掛止体を利用し、接触しない状態で使用した方が好ましい。
また、不織布には消臭性、抗菌性を付与してもよい。消臭性を与える物質としては、例えば粉末活性炭などが挙げられる。さらに、抗菌性を与える物質としては、例えば酸化チタンなどを挙げることができる。これらは、あらかじめ不織布の繊維中に含めてもよいし、不織布の製造後、塗布法などで不織布の所定面に付着したり、この所定面から各繊維内に含浸してもよい。
掛止体の種類は任意である。例えば、各種の紐や帯でも、布の一面または両面に多数の鉤状突起（雄型の面状ファスナ）が植設された面状ファスナでもよい。その他、フック、ホック、マグネットなどを採用してもよい。
【０００９】
請求項２に記載の発明は、前記不織布は矩形状のもので、前記掛止体は、それぞれの両端部を除く部分が、前記不織布の一対の長辺部に、それらの全長にわたって固着される１対の弾性バンドを有した請求項１に記載の扇風機用フィルタである。
【００１０】
弾性バンドの素材は任意である。例えばゴムバンド（ゴム紐）、伸縮性を有する合成樹脂バンド、コイルばね（ステンレス製など）のような弾性力を有する金属バンドでもよい。このうち、ゴムバンドは、平ゴムでも丸ゴムでもよい。平ゴムの場合、通常、その伸び率は２．５倍である。
弾性バンドは、その長さ方向の一部分だけを弾性体としてもよい。ただし、通常は、このバンドの全長が弾性体からなる。
弾性バンドを不織布に固定する方法は任意である。例えば、縫着、ゴム系接着剤など弾性を有する接着剤による接着でもよい。弾性バンドのうち、不織布に対する固着部分の長さは、不織布の長辺部の長さと略同じか短くする必要がある。短くした場合、不織布の長辺部にギャザーが現出される。
弾性バンドのうち、不織布に固定されない両端部は、不織布の外縁から突出する結束部とすることができる。弾性バンドの両端部の長さはそれぞれ任意である。ただし、対応するもの同士を結束可能な長さ（例えば５〜１５ｃｍ）は必要である。
【００１１】
請求項３に記載の発明は、前記不織布は、表面に粘着剤が塗布されたものである請求項１または請求項２に記載の扇風機用フィルタである。
【００１２】
粘着剤としては、例えばアクリル系粘着剤などを採用することができる。
粘着剤が塗布される不織布の部分は任意である。例えば不織布の表面の全域でも、その一部でもよい。
粘着剤の塗布方法としては、例えばスプレー塗布、刷毛塗りなどを採用することができる。
【００１３】
請求項４に記載の発明は、扇風機の回転羽根を回転させるモータ部に着脱自在に固定され、かつ前記モータ部の全域、および、前記モータ部に設けられて前記回転羽根を被う羽根ガードの背面部の全域を被覆するように前記扇風機に掛止された扇風機用フィルタの不織布を、前記モータ部と非接触状態で保持する扇風機用フィルタの支持体である。
【００１４】
支持体の素材は任意である。例えば、各種の合成樹脂（ポリエチレン、ポリプロピレン、ポリスチレン、ポリ塩化ビニル、ポリカーボネートなど）、各種の金属（鉄、ステンレス、胴、青銅など）、各種の木（杉、ヒノキなど）、各種のセラミックスを採用することができる。
支持体の形状は任意である。例えば、細長い板材を側面視してコの字形に連結したものなどを採用することができる。
支持体は、不織布に分離不能に連結されたものでも、不織布とは別体のものでもよい。
支持体が着脱自在に固定されるモータ部の位置としては、例えばケーシングの元部、長さ方向の中間部、先部などを採用することができる。
支持体をモータ部に着脱自在に固定させるものとしては、例えば、両面テープ、面状ファスナ、マグネットなどを採用することができる。
【発明の効果】
【００１５】
請求項１に記載の発明によれば、扇風機の羽根ガードの背面部だけでなく、回転羽根を回転させるモータ部の全域を不織布により被覆し、このような被覆状態を、掛止体によって不織布を扇風機に掛止することで保持する。その結果、羽根ガードの背面部からだけでなく、モータ部のケーシングに有する通気孔などの各種の開口を通って羽根ガード内に吸い込まれる空気中の花粉、微細なごみやほこりを捕集することができる。
これにより、微細なごみなどを原因とした扇風機の回転羽根および羽根ガードの汚れを防止することができる。しかも、従来品に比べて花粉や微細なごみなどの捕集率が高まることから、扇風機を使用することで室内空気の清浄度も高めることができる。すなわち、この扇風機用フィルタを扇風機に装着すれば、扇風機を、涼を得るという本来の目的で使用するだけでなく、室内集塵器としても利用することが可能となる。
【００１６】
特に、請求項２に記載の発明によれば、不織布の一対の長辺部に、それぞれの全長にわたって、１対の弾性バンドのうち、各両端部を除く部分（長さ方向の中間部分）が固着されている。そのため、扇風機用フィルタの使用時には、例えば、一方の弾性バンドの両端部を羽根ガードに結束し、他方の弾性バンドの両端部をケーシングに結束する。
具体的には、一方の弾性バンドを伸長させながら、不織布の一方の長辺部を羽根ガードの大径部の全域に当てがい、対応する弾性バンドの両端部（結束部）同士を結ぶ。その後、不織布の他方の長辺部を、これに固着された他方の弾性バンドを伸長させながら、不織布の残り部分によってモータ部の全域を覆うように延ばし、対応する弾性バンドの両端部同士を結ぶ。
これにより、不織布による羽根ガードの背面部およびケーシングの被覆状態を簡単に保持することができる。しかも、この扇風機用フィルタは、部品点数も少なく構造も簡単であるため、扇風機用フィルタの低コスト化も図れる。
【００１７】
また、請求項３に記載の発明によれば、不織布の表面に粘着剤を塗布したので、不織布に捕集された花粉、微細なごみやほこりを不織布の表面に粘着させることができる。これにより、扇風機の運転の中止時や扇風機用フィルタの交換時などに、不織布から花粉などが再飛散し難くなる。
【００１８】
さらに、請求項４に記載の発明によれば、モータ部を不織布の一部により被覆する際、モータ部に固定された支持体を利用し、不織布をモータ部に非接触状態で保持する。このように、不織布がモータ部に非接触状態で保持されているので、使用中のモータ部の熱を原因とした不織布の劣化や損傷などを防止することができる。
【図面の簡単な説明】
【００１９】
【図１】この発明の実施例１に係る扇風機用フィルタおよびその支持体の使用状態を示す正面方向からの斜視図である。
【図２】この発明の実施例１に係る扇風機用フィルタに使用される不織布の展開図である。
【図３】この発明の実施例１に係る扇風機用フィルタの斜視図である。
【図４】この発明の実施例１に係る扇風機用フィルタの支持体の斜視図である。
【図５】この発明の実施例１に係る扇風機用フィルタおよびその支持体の使用状態を示す背面方向からの斜視図である。
【発明を実施するための形態】
【００２０】
以下、この発明の実施例を具体的に説明する。
【実施例】
【００２１】
図１〜図５において、１０はこの発明の実施例１に係る扇風機用フィルタである。この扇風機用フィルタ１０は、扇風機１１の回転羽根１３を被う羽根ガード１４の背面部１４Ｂ、および、背面部１４Ｂより後方に配置され、かつ先端面に多数の吸気孔３０ａが形成された円筒容器状のケーシング３０を有して回転羽根１３を回転させるモータ部１２の全域を被覆する平面視して矩形状の不織布１５と、不織布１５の両長辺部１５ａ，１５ｂに、対応する長辺部１５ａ，１５ｂの略全長にわたってそれぞれ固着され、羽根ガード１４の背面部１４Ｂおよびモータ部１２の全域を被覆した状態で不織布１５を扇風機１１に掛止する一対の平ゴム紐のゴムバンド（掛止体、弾性バンド）１６、１７と、モータ部１２に着脱可能に固定され、かつモータ部１２に不織布１５を非接触状態で保持する不織布支持部材（支持体）３１とを備えている。
【００２２】
以下、これらの構成体を詳細に説明する。
扇風機１１は、操作台と、操作台の中央部から高さ調整可能に突出した支柱と、支柱の先端に軸支された前記モータ部１２と、モータ部１２の出力軸に固定された前記回転羽根１３と、モータ部１２の元側の開口部に固定された羽根ガード１４とを有している。
不織布１５は、不織布ロールから導出された幅（短辺）約２５ｃｍの帯状の不織布を、長さ（長辺）約１５２ｃｍごとに、順次、裁断することで容易に得られる（図２）。この大きさに裁断すれば、得られた不織布１５によって、直径３５ｃｍの羽根ガード１４の背面部１４Ｂの全域およびモータ部１２の全域を外方から被覆することができる。これにより、部品点数が少なく、不織布１５を簡単かつ高い歩留りで製造することができる。その結果、扇風機用フィルタ１０の低コスト化が図れる。
不織布１５は、繊維径が約６デニールのポリエステル系樹脂繊維を、所定のバインダにより接着して得られたものである。目付は３０ｇ／ｍ２であり、見かけ厚さは１５〜２．５ｍｍ、フィルタ圧力損失は０．６５ｍｍＨ２Ｏである。
【００２３】
不織布１５の両方の長辺部１５ａ,１５ｂの全域には、長さ５６ｃｍのゴムバンド１６，１７の両端部を除く部分が縫着されている（図３）。前記長辺部１５ａ,１５ｂの長さ１２５ｃｍに対して、ゴムバンド１６，１７の不織布１５に対する縫着部分（固着部分）の長さが５６ｃｍであることから、ゴムバンド１６，１７を縫着後の前記長辺部１５ａ,１５ｂには、ギャザーが形成される。ゴムバンド１６，１７の両端部は、不織布１５の対応する短辺から外方へ１２ｃｍ程度それぞれ突出し、両突出部分がそれぞれ結束部１８を構成する。
モータ部１２は、開口した元部が扇風機１１の支柱に首振り可能に軸支され、かつ先端面に多数の吸気孔３０ａが形成された円筒容器状のケーシング３０と、ケーシング３０に収納された図示しないモータとを有している。モータの出力軸（回転軸）はケーシング３０の開口から扇風機１１の前方へ向けて突出され、この突出部に回転羽根が固定されている。
羽根ガード１４は、前面部１４Ａと背面部１４Ｂとから着脱自在に分割構成され、前面部１４Ａおよび背面部１４Ｂは多数本のスポークを有する枠部材から構成される。
【００２４】
以下、図４を参照して、前記不織布支持部材３１を具体的に説明する。
不織布支持部材３１は、幅方向の中間部で二つ折りすることで補強された短冊形状のプラスチックシートからなる支持フレーム３２を本体としている。また、支持フレーム３２の長さ方向の両端部と、長さ方向の中間部と、支持フレーム３２の長さ方向の両側部には、一定ピッチで３つのピン孔３２ａがそれぞれ形成されている。このうち、各中間のピン孔２３ａには、割りピン３４を介して２枚重ねの細長い短冊形状のプラスチックシートからなるアーム板３３の元部がそれぞれ軸支されている。これにより、各アーム板３３は割りピン３４を中心にして回動自在となっている。また、各アーム板３３はプラスチックシート製である。そのため、それぞれの軸支部分を除いた残りの部分が、互いに離反する方向へ弾性変形可能となっている。さらに、各対配置されたアーム板３３の先端部の対向側の面には、不織布支持部材３１をモータ部１２に粘着させる両面テープ３５がそれぞれ固着されている。
また、扇風機用フィルタ１０には、使用時に用いられる備品として、布片の両面全域に多数の鉤状突起がそれぞれ植設された多数の面状ファスナ（掛止部材）１９が存在する。
【００２５】
次に、この実施例１に係る扇風機用フィルタ１０の使用方法を説明する。
図１および図５に示すように、扇風機用フィルタ１０の使用時には、まず段ボールの空箱などにポリ袋と換気扇用フィルタとを、順次、２層となるように被せる。その後、あらかじめ準備した粘着剤スプレー缶を使用し、換気扇フィルタ１０の表面の全域に粘着剤を噴射しておく。
次に、長さ方向を上下に向けた不織布支持部材３１を、上下一対ずつのアーム板３３を利用し、モータ部１２の先端部に固定する。具体的には、両面テープ３５を使用し、上側の一対のアーム板３３を適宜回動させるなどして、これらをケーシング３０の先端部の上部にそれぞれ貼着する。また、下側の一対のアーム板３３を適宜回動させるなどして、これらを両面テープ３５によってケーシング３０の先端部の下部にそれぞれ貼着する。これにより、ケーシング３０の先端面から離間した位置に、支持フレーム３２の長さ方向がケーシング３０の先端面と平行な不織布支持部材３１が固定される。
さらに、支持フレーム３２の２つ折りされた各板片部の表面において、それらの長さ方向の両端部と、長さ方向の中間部と、長さ方向の両端部付近とに、合計１０個の面状ファスナ１９を貼着する。さらにまた、羽根ガード１４の大径部の外周面には、周方向へ６０°ごとに合計６つの面状ファスナ１９を貼着する。
【００２６】
次に、不織布１５により羽根ガード１４の背面部１４Ｂを外方から被覆する。その際、不織布１５のうち、ゴムバンド１６が固着された一方の長辺部１５ａを、このゴムバンド１６を伸長させながら羽根ガード１４の大径部の全域に当てがい、この状態を前記６つの面状ファスナ１９によって保持（仮止め）し、両結束部１８を結ぶ。これにより、実施例１の羽根ガード１４とはサイズ（直径）が異なる羽根ガードに対しても、ゴムバンド１６の弾性力により、不織布１５の一方の長辺部１５ａを羽根ガード１４の大径部の全周にわたって隙間なく密着させることができる。その結果、羽根ガード１４のサイズにかかわらず高い集塵効果を得ることができる。
【００２７】
次に、不織布１５の一方の端部と他方の端部とを付き合わせ、この状態のまま、不織布１５の全体を扇風機１１の後方へ略円筒状に引っ張り、不織布１５の他方の長辺部１５ｂを、多数の面状ファスナ１９を介して、不織布支持部材３１の支持フレーム３２に仮止めする。この状態で、ゴムバンド１６を伸長させて両結束部１８を結ぶことで、扇風機用フィルタ１０により羽根ガード１４の背面部１４Ｂの全域とモータ部１２の全域とが被覆される。
【００２８】
これにより、背面部１４Ｂからだけでなく、モータ部１２のケーシング３０に有する通気孔３０ａなどの各種の開口を通って羽根ガード１４内に吸い込まれる空気中の花粉、微細なごみやほこりを捕集することができる。その結果、微細なごみなどを原因とした扇風機１１の回転羽根１３および羽根ガード１４の汚れを防止することができる。しかも、従来品に比べて花粉や微細なごみなどの捕集率が高まるため、扇風機１１を使用して室内空気の清浄度も高めることができる。すなわち、扇風機用フィルタ１０を装着することで、扇風機１１を、涼を得るという本来の目的で使用するだけでなく、室内集塵器としても利用することが可能となる。
【００２９】
また、実施例１では、不織布１５の一対の長辺部１５ａに、それぞれの全長にわたって、１対のゴムバンド１６のうちの各両端部を除く部分を固着したため、不織布１５による羽根ガード１４の背面部１４Ｂおよびケーシング３０の被覆状態を簡単に保持することができる。しかも、この扇風機用フィルタ１０は、部品点数も少なく構造も簡単であるため、扇風機用フィルタ１０の低コスト化も図れる。
【００３０】
さらに、不織布１５の表面に粘着剤を塗布したので、不織布１５に捕集された花粉、微細なごみやほこりを不織布１５の表面に粘着させることができる。これにより、扇風機１１の運転の中止時や扇風機用フィルタ１０の交換時などに、不織布１５から花粉などが再飛散し難くなる。
さらにまた、モータ部１２を不織布１５の一部により被覆する際、モータ部１２に固定した不織布支持部材３１を利用し、不織布１５をモータ部１２に非接触状態で保持するように構成したので、使用中のモータ部１２の熱を原因とした不織布１５の劣化や損傷などを防止することができる。
【産業上の利用可能性】
【００３１】
この発明の扇風機用フィルタは、例えば簡易空気清浄フィルタなどとして有用である。
【符号の説明】
【００３２】
１０  扇風機用フィルタ、
１１  扇風機、
１３  回転羽根、
１４  羽根ガード、
１４Ｂ  背面部、
１５  不織布、
１５ａ  一方の長辺部、
１５ｂ  他方の長辺部、
１６，１７  ゴムバンド（弾性バンド、掛止体）、
３０  ケーシング、
３０ａ  吸気孔、
３１  不織布支持部材（支持体）。
【図１】
2012202272.tif 000003
【図２】
2012202272.tif 000004
【図３】
2012202272.tif 000005
【図４】
2012202272.tif 000006
【図５】
2012202272.tif 000007